(57)【要約】【課題】  扉の止めを持つ複合式メモリカードの挿入接続台座を提供する。【解決手段】  挿入接続台座の入口に、活動の扉の止めを設置する。活動の扉の止めは、止め板３１、弾性ユニット３２及び制御弾性薄片３３などの要素から形成され、活動の扉の止めを持つ挿入口と活動の扉の止めを持たない挿入口を区画し、それぞれ異なるメモリカードのマッチ、挿入を提供し、より小さい寸法のメモリカードの挿入するときの傾斜、不正の現象を避ける。活動の扉の止めを持つ挿入口に、適正のメモリカードを挿入するときに、メモリカードが制御弾性薄片３３を押し開けるので、活動の扉の止めは自動的に、ある角度回転させられて開けられる。また、活動の扉の止めの止め溝３１３を経由し、相対的に、導電接続端子へ押し入れられるので、挿入したあとメモリカードと導電接続端子とがよく接触することを確保する。【選択図】    図２
0003112417.tif 000002
【実用新案登録請求の範囲】
【請求項１】
カバー、共用端子盤、活動の扉の止めを有し、
カバーは、共用端子盤にマッチして挿入接続台座の本体を組成し、挿入接続台座の本体の一端に階級の広い開口状の共用挿入溝を形成し、様々な異なるメモリカードのマッチ、挿入を提供し、
共用端子盤は、台座の中に個別配置又は共用の複数の導電接続端子グループを収容し、様々な異なるメモリカードの導電接続を形成し、
活動の扉の止めは、挿入接続台座の共用挿入溝に設けられ、止め板、弾性ユニット、制御弾性薄片を備え、
止め板は、活動自在に共用挿入溝に枢設されて、活動の扉の止めを持つ挿入口と活動の扉の止めを持たない挿入口を区画し、その一端に、嵌め合い部が設置され、
弾性ユニットは、止め板の一端にはめられ、止め板がノーマリクローズドに入り、
制御弾性薄片は、固定的に共用端子盤の別側の凹溝に挿入され、制御弾性薄片の前端に、曲げ薄片があり、曲げ薄片の片側に、嵌め合い薄片が設けられ、平時に、嵌め合い薄片と止め板の嵌め合い部とを経由してロックされ、対応するメモリカードが挿入されるときに、メモリカードが制御弾性薄片の前端の曲げ薄片を押し開け、制御弾性薄片がロックから離脱されることで、止め板が自動的にある角度を回転し開けられる状態になり、メモリカードが完全に活動の扉の止めを持つ挿入口に挿入されることを特徴とする扉の止めを持つ複合式メモリカードの挿入接続台座。
【請求項２】
活動の扉の止めの止め板は細くて長い形状となることを特徴とする請求項１に記載の扉の止めを持つ複合式メモリカードの挿入接続台座。
【請求項３】
活動の扉の止めの止め板に、複数の止め溝があることを特徴とする請求項１に記載の扉の止めを持つ複合式メモリカードの挿入接続台座。
【請求項４】
弾性ユニットはスプリングを採用し、スプリングの一つの端子ピンを共用端子盤に予め設置された固定溝に嵌め込み、もう一つの端子ピンを止め板に予め設置された嵌め合い溝に嵌め込むことを特徴とする請求項１に記載の扉の止めを持つ複合式メモリカードの挿入接続台座。
【請求項５】
共用端子盤に、検知薄片、読み出し及び書き込みの防止用の検知薄片、アースの端子、半田付けの助け薄片を含む相関的なコンポーネントを設けることを特徴とする請求項１に記載の扉の止めを持つ複合式メモリカードの挿入接続台座。
【請求項６】
共用端子盤は、内部の選定位置に斜面突出ブロックを設けることを特徴とする請求項１に記載の扉の止めを持つ複合式メモリカードの挿入接続台座。
【請求項７】
共用端子盤は、内部の選定位置に突出ブロックを設けることを特徴とする請求項１に記載の扉の止めを持つ複合式メモリカードの挿入接続台座。
【請求項８】
メモリカードは、ｍｉｎｉＳＤメモリカード、ＲＳ−ＭＭＣメモリカード、ＲＳ−ＭＭＣ４．０メモリカード、ＭＭＣメモリカード、ＭＭＣ４．０メモリカード、ＳＤメモリカードなどであることを特徴とする請求項１に記載の扉の止めを持つ複合式メモリカードの挿入接続台座。
【考案の詳細な説明】
【技術分野】
【０００１】
本考案は複合式メモリカードの挿入接続台座に関する結構設計であり、特に、扉の止めを持つ複合式メモリカードの挿入接続台座を指す。
【背景技術】
【０００２】
従来から、メモリカードの種類、型式は様々である。例えば、よく使用されるＳＤメモリカード、ＭＭＣメモリカード、ＭＭＣ４．０メモリカード、ＭＳメモリカード、ＸＤメモリカード、ＳＭメモリカード、新規のｍｉｎｉＳＤメモリカード、ＲＳ−ＭＭＣメモリカード、ＲＳ−ＭＭＣ４．０メモリカードなどが挙げられる。サイズ、寸法が異なるので、現今のメモリカードの挿入接続台座は皆、マルチカード共用の複合式の形態を採用し、ユーザの異なるニーズを満足させたい。
【０００３】
従来から、既存の複合式メモリカードの接続台座の組成は金属のカバー、共用の端子盤及び複数の個別又は共用の導電接続端子を含む。しかも、共用の端子盤に、ニーズに応じて、検知薄片、読み出し及び書き込み防止用の検知薄片、アースの端子、半田付けの助け薄片など相関的なコンポーネントを備える。前掲の挿入接続台座の挿入口は様々なメモリカードのマッチ、挿入に応じるために、ほとんど、広く相通の階級状の共用挿入溝を供える。
【考案の開示】
【考案が解決しようとする課題】
【０００４】
ところが、薄くて小さいメモリカード（例えば、ｍｉｎｉＳＤメモリカード）を挿入する場合に、いつも左右のずれ又は傾斜不正が生じるので、メモリカードが共用端子盤の導電接続端子に当たる衝撃により、導電接続端子の凹み、折り、変形、損耗を招く。それは既存の複合式メモリカードの接続台座のよく見る欠陥である。
【課題を解決するための手段】
【０００５】
したがって、本考案の主な目的は、扉の止めを持つ複合式メモリカードの挿入接続台座を提供することにある。挿入接続台座の入口に、活動の扉の止めを設置する。活動の扉の止めは止め板、弾性ユニット及び制御弾性薄片などの要素から形成される。それで、活動の扉の止めを持つ挿入口と活動の扉の止めを持たない挿入口を区画し、それぞれ異なるメモリカードのマッチ、挿入を提供し、より小さい寸法のメモリカードの挿入するときの傾斜、不正の現象を避ける。活動の扉の止めを持つ挿入口に、適正のメモリカードを挿入するときに、メモリカードが制御弾性薄片を押し開けるので、活動の扉の止めは自動的に、ある角度回転させられて開けられる。また、活動の扉の止めの止め溝を経由し、相対的に、導電接続端子へ押し入れられるので、挿入したあとメモリカードと導電接続端子とがよく接触することを確保する。
【考案を実施するための最良の形態】
【０００６】
本考案の目的、特徴および効果などをご了解いただくために、以下、さらに具体的な実施例に図面をあわせて詳しく説明する。
まずは添付の図面に示すように、本考案の一実施例による扉の止めを持つ複合式メモリカードの挿入接続台座は、カバー１、共用端子盤２、活動の扉の止め３などの要素から形成される。
【０００７】
図１から図３に示すように、カバー１は金属カバーであり、共用端子盤２にマッチし、挿入接続台座の本体を組成する。挿入接続台座の本体の一端に、階級の広い開口状の共用挿入溝が形成される。それで、様々な異なるメモリカード４１、４２、４２ａ、４３、４３ａ、４４のマッチ、挿入を提供する。（図４の実施例にそれぞれ掲示するのはｍｉｎｉＳＤメモリカード４１、ＲＳ−ＭＭＣメモリカード４２、ＲＳ−ＭＭＣ４．０メモリカード４２ａ、ＭＭＣメモリカード４３、ＭＭＣ４．０メモリカード４３ａ、ＳＤメモリカード４４などがある。）同様に、ほかの既知のメモリカードも適用できる。
【０００８】
図３に示すように、共用端子盤２は絶縁の台座である。台座の中に、個別配置又は共用の複数の導電接続端子グループ２１、２２を収容する。それで、様々な異なるメモリカード４１、４２、４２ａ、４３、４３ａ、４４の導電接続を形成する。しかし、前掲の導電接続端子グループ２１、２２の設置が既知の技術だけでなく、導電接続端子グループの分布、組成形態もほかの様々なメモリカードに応じて、適当に変更されるので、詳しい説明を省略する。
【０００９】
図２、図５に示すように、活動の扉の止め３は挿入接続台座の共用挿入溝に設けられ、主に、止め板３１、弾性ユニット３２、制御弾性薄片３３から構成される。止め板３１は細くて長い形状であり、活動自在に、共用挿入溝に枢設されて、活動の扉の止めを持つ挿入口と活動の扉の止めを持たない挿入口を区画する。また、その一端に、嵌め合い部３１１が設置される。弾性ユニット３２は理想的に、捻りスプリングを採用し、予め、止め板３１の一端にはめられる。スプリングの一つの端子ピン３２１を共用端子盤２の予め設置された固定溝２３に嵌め込み、もう一つの端子ピン３２２を止め板３１の予め設置された嵌め合い溝３１２に嵌め込む。そうすると、弾性ユニット（捻りスプリング）３２は常態で、止め板３１につっかいをするが、ノーマリクローズドに入る（図１参照）。制御弾性薄片３３は固定で、共用端子盤２の別側の凹溝２４に挿入される。制御弾性薄片３３の前端に、曲げ薄片３３１がある。曲げ薄片３３１の片側に、嵌め合い薄片３３２を備える。平時は、嵌め合い薄片３３２と止め板３１の嵌め合い部３１１を経由して図６、図７に示すようにロックされる。どころが、対応するメモリカード４４を挿入するときに、メモリカード４４が制御弾性薄片３３の前端の曲げ薄片３３１を押し開ける。（図１０、図１１参照）そして、制御弾性薄片３３がロック状態から離脱されるので、止め板３１が自動的に、ある角度を回転し、開けられる状態に入る。（図８から図１０参照）。結局、メモリカードは完全に、図１２に示すように活動の扉の止めを持つ挿入口に挿入される。
【００１０】
前掲の止め板３１、弾性ユニット３２、制御弾性薄片３３から組成された活動の扉の止め３を持つ挿入接続台座の共用挿入溝は活動の扉の止めを持つ挿入口と活動の扉の止めを持たない挿入口を区画し、自動的に、様々なメモリカードの挿入方位を校正する。それで、より薄くて小さい寸法のメモリカードの挿入するときに、左右又は上下の傾斜、及び不正という現象を避ける以外、メモリカードが共用端子盤２の導電接続端子に誤ってタッチすることも避けられる。要するに、有効的にメモリカードの挿入接続台座の使用寿命を向上させ、機能の正常運転を確保する。
【００１１】
前掲の共用端子盤２はニーズに応じて、選択的に、検知薄片２５、２６、読み出し又は書き込みの防止用の検知薄片２７、アース端子、半田付けの助け薄片など既知のコンポーネントを追加する。それら既知のコンポーネントは様々なメモリカードのニーズに応じて配置、組成される。検知薄片２５、２６の用途はそれぞれ各種のメモリカードを挿入したあとで、信号の導電相通を形成する。
【００１２】
本実施例の活動の扉の止め３はさらに、止め板３１に、複数の止め溝３１３を備える。メモリカード４４を活動の扉の止めを持つ挿入口に挿入するときに、メモリカード４４が制御弾性薄片３３を押し開け、止め板３１を回転して開けるとき、同時に、止め溝３１３も、相対的に、導電接続端子グループ２２の対応したピン２２１に押し入れられるので、メモリカード４４を挿入したあとで、対応した端子のピン２２１に、良い導電相通の接触を形成する。
【００１３】
図１３、図１４に掲示するのはＲＳ−ＭＭＣメモリカード４２（又はＲＳ−ＭＭＣ４．０メモリカード４２ａ）を活動の扉の止めを持たない挿入口に挿入した使用状態である。活動の扉の止め３の阻隔制限により、ＲＳ−ＭＭＣメモリカード４２は必ず精確に特定の方位に沿って挿入され、絶対に傾斜、不正がない。また、図１５、図１６に掲示するのはｍｉｎｉＳＤメモリカード４１を活動の扉の止めを持たない挿入口に挿入した使用状態である。活動の扉の止め３の阻隔制限により、ｍｉｎｉＳＤメモリカード４１は必ず精確に特定の方位に沿って挿入され、絶対に左右ずれがない。
【００１４】
図２に示すように、本実施例の共用端子盤２は内部の選定位置に、斜面突出ブロック２８を備える。斜面突出ブロック２８はＲＳ−ＭＭＣメモリカード４２、ＲＳ−ＭＭＣ４．０メモリカード４２ａ、ＭＭＣメモリカード４３、ＭＭＣ４．０メモリカード４３ａ、ＳＤメモリカード４４の斜辺面４２１、４２１ａ、４３１、４３１ａ、４４１にマッチ、対応するので、上述のメモリカード４２、４２ａ、４３、４３ａ、４４の正確挿入を確保する。また、共用端子盤２の内部のもう一つの選定位置に、突出ブロック２９も設置される。それで、ｍｉｎｉＳＤメモリカード４１のノッチ４１１にマッチ、対応するので、ｍｉｎｉＳＤメモリカード４１の正確挿入を確保する。
【００１５】
以上の実施例はｍｉｎｉＳＤメモリカード４１、ＲＳ−ＭＭＣメモリカード４２、ＲＳ−ＭＭＣ４．０メモリカード４２、ＭＭＣメモリカード４３、ＭＭＣ４．０メモリカード４３ａ、ＳＤメモリカード４４に本考案の構造を使用する具体的な形態だけを掲示する。しかしながら、ほかの同じ又は異なる形態のメモリカードにおいても、適当に相対的な導電接続の端子グループ又は組成形態を変更すれば、同様に、本考案を適用できるので、詳しい説明を省略する。
【００１６】
共用端子盤２は図３に示すように、絶縁台座の本体である。台座の本体の中に、個別配置又は共用の複数の導電接続端子グループ２１、２２を収容し、様々な異なるメモリカード４１、４２、４２ａ、４３、４３ａ、４４の導電接続を提供する。上掲の導電接続端子グループ２１、２２の設置は既知の技術だけでなく、導電接続の端子グループの分布又は組成形態も各種のメモリカードに応じて、適当に変更できるので、詳しい説明を省略する。
【００１７】
本考案の主な目的は扉の止めを持つ複合式メモリカードの挿入接続台座の設計を提供することにある。挿入接続台座の階級形の広い開口における共用挿入溝に、止め板、弾性ユニット、制御弾性薄片など要素から、活動の扉の止めを構成し、それで、活動の扉の止めを持つ挿入口と活動の扉の止めを持たない挿入口とを区画する。よって、自動的に、様々なメモリカードの挿入方位を校正し、メモリカードを挿入するときに、左右又は上下のずれ、不正を避けて、メモリカードが共用端子盤のほかの導電接続の端子に衝撃的に当たらないようにする。導電接続端子に誤ってタッチして招いた凹入、折り曲げ、変形損耗を防止しながら、有効的にメモリカードの挿入接続台座の使用寿命を向上させる。
【００１８】
本考案のもう一つの目的は扉の止めを持つ複合式メモリカードの挿入接続台座の設計を提供することにある。活動の扉の止めはさらに、止め板に、複数の止め溝を設ける。メモリカードを活動の扉の止めを持つ挿入口に挿入するときに、メモリカードが制御弾性薄片を押し開け、止め板が自動的にある角度へ回転して開けられ、このとき、止め溝も、相対的に、挿入口の近接の導電接続端子に押し入れられるので、メモリカードを挿入したあとで、導電接続端子に、良い導電相通の接触を形成する。
【図面の簡単な説明】
【００１９】
【図１】本考案の一実施例に係るアセンブリ立体図である。
【図２】本考案の一実施例に係る分解立体図である。
【図３】本考案の一実施例のカバーをはずした後の分解立体図である。
【図４】本考案の一実施例を多種のメモリカードに適用して使える説明図である。
【図５】本考案の一実施例に係る活動の扉の止め及びメモリカードの分解説明図である。
【図６】本考案の一実施例に係る活動の扉の止めがノーマルクローズドになる状態の局部側視図である。
【図７】本考案の一実施例に係る活動の扉の止めがノーマルクローズドになる状態の正視図である。
【図８】本考案の一実施例に係る活動の扉の止めが開けられる状態の局部側視図である。
【図９】本考案の一実施例に係る活動の扉の止めが開けられる状態の正視図である。
【図１０】本考案の一実施例に係るメモリカードを開口に挿入する状態の説明図である。
【図１１】本考案の一実施例に係る活動の扉の止めの動作状態説明図である。
【図１２】本考案の一実施例に係るＳＤメモリカードを完全に挿入する状態の説明図である。
【図１３】本考案の一実施例に係るＲＳ−ＭＭＣメモリカードを完全に挿入した状態の説明図である。
【図１４】図１３の正視図である。
【図１５】本考案の一実施例に係るｍｉｎｉＳＤメモリカードを完全に挿入した状態の説明図である。
【図１６】図１５の正視図である。
【符号の説明】
【００２０】
１  カバー、２  共用端子盤、２１  導電接続グループ、２２  導電接続グループ、２２１  端子接続ピン、２３  固定溝、２４  凹溝、２５  検知薄片、２６  検知薄片、２７  読み出し及び書き込みの防止用の検知薄片、２８  斜面突出ブロック、２９  突出ブロック、３  活動の扉の止め、３１  止め板、３１１  嵌め合い部、３１２  嵌め合い溝、３１３  止め溝、３２  弾性ユニット、３２１  端子ピン、３２２  端子ピン、３３  制御弾性薄片、３３１  曲げ薄片、３３２  止め薄片、４１  メモリカード、４１１  ノッチ、４２  メモリカード、４２ａ  メモリカード、４３  メモリカード、４３ａ  メモリカード、４４  メモリカード、４２１  斜辺面、４２１ａ  斜辺面、４３１  斜辺面、４３１ａ  斜辺面、４４１  斜辺面
【図１】
0003112417.tif 000003
【図２】
0003112417.tif 000004
【図３】
0003112417.tif 000005
【図４】
0003112417.tif 000006
【図５】
0003112417.tif 000007
【図６】
0003112417.tif 000008
【図７】
0003112417.tif 000009
【図８】
0003112417.tif 000010
【図９】
0003112417.tif 000011
【図１０】
0003112417.tif 000012
【図１１】
0003112417.tif 000013
【図１２】
0003112417.tif 000014
【図１３】
0003112417.tif 000015
【図１４】
0003112417.tif 000016
【図１５】
0003112417.tif 000017
【図１６】
0003112417.tif 000018